【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
ポリオレフィン構造ポリマー、
０．０２から３重量％の量の光開始剤、
０．０２から１０重量％の量の架橋助剤、及び、
０．１から１重量％の量の酸化防止剤から成形される重合パイプであって、
前記光開始剤が、ベンゾフェノン、４位に置換基を有するベンゾフェノン、及び、４位及び４‘位に置換基を有するベンゾフェノンから選択され、前記架橋助剤が、少なくとも１つの炭素−炭素二重結合を含んでいるところの重合パイプ。
【請求項２】
前記光開始剤は、下記化学式１で示される化合物である、請求項１のパイプ。
【化１】
2016518498.tif 000001
（但し、Ｒ１は、−（ＣＨ２）ｍ（Ｃ＝Ｏ）［Ｏ（ＣＨ２）ｎ］ｐＯ（Ｃ＝Ｏ）（ＣＨ２）ｑ−、−（Ｃ＝Ｏ）（Ｃ５−Ｃ２４アルキル）、及び、−（Ｃ＝Ｏ）（Ｃ５−Ｃ２４アルケニル）から選択され、
Ｒ２は、−Ｈ、−ＯＨ、−ハロ、−（Ｃ１−Ｃ４）アルキル、−（Ｃ２−Ｃ４）アルケニル及び、下記化学式２から選択され、
【化２】
2016518498.tif 000002
Ｒ３は、−Ｈ、−ハロ、−ＯＨ、−（Ｃ１−Ｃ４）アルキル、−（Ｃ２−Ｃ４）アルケニル、−Ｏ（Ｃ１−Ｃ４）アルキル、及び、−Ｏ（Ｃ２−Ｃ４）アルケニルから選択され、
ｍは、０、１又は２であり、
ｎは、２、３、４、５、６であり、
ｐは、２−１０であり、
ｑは０、１又は２である。）
【請求項３】
前記光開始剤は、下記化学式で示される化合物である、請求項１のパイプ。
【化３】
2016518498.tif 000003
（但し、Ｒ１５は、−Ｈ、−ハロ、−ＯＨ、−（Ｃ１−Ｃ１０）アルキル、−（Ｃ２−Ｃ１０）アルケニル、−Ｏ（Ｃ１−Ｃ１０）アルキル、及び、−Ｏ（Ｃ２−Ｃ１０）アルケニルからなる群から選択され、
Ｒ１６は、−ハロ、−ＯＨ、−（Ｃ１−Ｃ３０）アルキル、−（Ｃ２−Ｃ３０）アルケニル、−Ｏ（Ｃ１−Ｃ３０）アルキル、−Ｏ（Ｃ２−Ｃ３０）アルケニル、−Ｏ（Ｃ＝Ｏ）（Ｃ１−Ｃ３０）アルキル、−Ｏ（Ｃ＝Ｏ）（Ｃ２−Ｃ３０）アルケニル、及び、−Ｏ−Ｒ１−Ｒ２からなる群から選択され、
Ｒ１及びＲ２は、請求項３の定義と同じである。）
【請求項４】
ポリオレフィン構造ポリマー、
０．０２から３重量％の量の光開始剤、及び、
０．０１から２重量％の量の捕捉剤
から成形される重合パイプであって、
前記光開始剤は、下記化学式１で示される化合物であるところの重合パイプ。
【化４】
2016518498.tif 000004
（但し、Ｒ１は、−（ＣＨ２）ｍ（Ｃ＝Ｏ）［Ｏ（ＣＨ２）ｎ］ｐＯ（Ｃ＝Ｏ）（ＣＨ２）ｑ−、−（Ｃ＝Ｏ）（Ｃ５−Ｃ２４アルキル）、及び、−（Ｃ＝Ｏ）（Ｃ５−Ｃ２４アルケニル）から選択され、
Ｒ２は、−Ｈ、−ＯＨ、−ハロ、−（Ｃ１−Ｃ４）アルキル、−（Ｃ２−Ｃ４）アルケニル及び、下記化学式２から選択され、
【化５】
2016518498.tif 000005
Ｒ３は、−Ｈ、−ハロ、−ＯＨ、−（Ｃ１−Ｃ４）アルキル、−（Ｃ２−Ｃ４）アルケニル、−Ｏ（Ｃ１−Ｃ４）アルキル、及び、−Ｏ（Ｃ２−Ｃ４）アルケニルから選択され、
ｍは、０、１又は２であり、
ｎは、２、３、４、５、６であり、
ｐは、２−１０であり、
ｑは０、１又は２である。）
【請求項５】
前記捕捉剤が、（Ｃ６−Ｃ３０アルキル）ＮＣＯ、ＯＣＮ（Ｃ６−Ｃ３０アルキル）ＮＣＯ、シクロアルキルイソシアネート、多機能イソシアネート、オリゴマーイソシアネート及び重合イソシアネート、及び／又は、脂環式エポキシド、及び／又は、シクロアルキルオキセタン、及び／又は、ナノ粒子から選択される、請求項４のパイプ。
【請求項６】
前記捕捉剤が、（Ｃ６−Ｃ３０アルキル）ＮＣＯ、ＯＣＮ（Ｃ６−Ｃ３０アルキル）ＮＣＯ、シクロアルキルイソシアネート、重合イソシアネート及びシクロアルキルエポキシドから選択された反応押出種である、請求項４又は請求項５のパイプ。
【請求項７】
前記捕捉剤が、ＣＨ３（ＣＨ２）１６ＮＣＯである、請求項４又は請求項５のパイプ。
【請求項８】
前記捕捉剤が、０．２から１重量％存在している、請求項４から９の何れか１つのパイプ。
【請求項９】
少なくとも１つの反応性の炭素−炭素二重結合を含む、０．０２から１０重量％の量の架橋助剤、及び／又は、
０．１から１重量％の量の酸化防止剤
を更に含む、請求項４から８の何れか１つのパイプ。
【請求項１０】
Ｒ２が，化学式２である、請求項２から９の何れか１つのパイプ。
【請求項１１】
Ｒ２が、Ｈであり、及び／又は、Ｒ３が、Ｈである、請求項２から９の何れか１つのパイプ。
【請求項１２】
Ｒ１が、−（ＣＨ２）ｍ（Ｃ＝Ｏ）［Ｏ（ＣＨ２）ｎ］ｐＯ（Ｃ＝Ｏ）（ＣＨ２）ｑ−又は、−（Ｃ＝Ｏ）（Ｃ５−Ｃ２４アルキル）
である、請求項３から１１の何れか１つのパイプ。
【請求項１３】
ｍ及びｑの双方が１であり、ｎが４であり、ｐが３−６である、請求項１２のパイプ。
【請求項１４】
前記光開始剤は、下記化学式で示される化合物である、請求項２から９の何れか１つのパイプ。
【化６】
2016518498.tif 000006
（但し、ｒは、２−８の範囲内であり、場合により、ｒは、前記光開始剤が約７００から約８００ｇ／モルの平均粒径を有するように選択される。）
【請求項１５】
前記光開始剤の量は、０．３から１．５重量％である、請求項１から１４の何れか１つのパイプ。
【請求項１６】
前記架橋助剤が、アクリレート、ポリブタジエン、アリルエーテル、ビニルエーテル、及び、一価又は多価の不飽和油から選択され、又は、これらを含んでいる、請求項１−３、又は、９から１５の何れか１つのパイプ。
【請求項１７】
前記架橋助剤が、シアヌル酸トリアリル；ポリブタジエン；又は、トリメチロールプロパントリアセテートの少なくとも１つを含んでいる、請求項１−３、又は、９から１６の何れか１つのパイプ。
【請求項１８】
０．０５から１重量％の量のヒンダードアミン系光安定剤を更に含む、請求項１から１７の何れか１つのパイプ。
【請求項１９】
前記ヒンダードアミン系光安定剤が、下記化学式で示される化合物、キマソーブ（Ｃｈｉｍａｓｏｒｂ）９４４ＬＤ、又はチヌビン（Ｔｉｎｕｖｉｎ）６２２から選択される、請求項１８のパイプ。
【化７】
2016518498.tif 000007
（但し、Ｒ５は、Ｃ２−Ｃ２４アルキル基である。）
【請求項２０】
前記酸化防止剤が、下記化学式で示される化合物を含んでいる、請求項１−３、又は、９から１９の何れか１つのパイプ。
【化８】
2016518498.tif 000008
及び／又は、
【化９】
2016518498.tif 000009
【請求項２１】
前記ポリオレフィン構造ポリマーが、ポリエチレン、ポリプロピレン、及びその混合物又はその共重合体から選択される、請求項１から２０の何れか１つのパイプ。
【請求項２２】
前記ポリオレフィン構造ポリマーが、少なくとも２のメルトフローインデックス（ＭＦＩ）若しくは少なくとも５のメルトフローインデックスを有する高密度ポリエチレン（ＨＤＰＥ）であり、又は、これを含んでいる、請求項１から２１の何れか１つのパイプ。
【請求項２３】
前記パイプが、架橋パイプである、請求項１から２２の何れか１つのパイプ。
【請求項２４】
捕捉剤を含み、前記パイプが、
前記ポリオレフィン構造ポリマー、光開始剤及び捕捉剤を含む混合物を、共回転二重スクリューを有する押出機から押し出して、押出しパイプを形成し、
前記押出しパイプに紫外線を照射することによって、前記構造ポリマーを架橋するによって得ることが可能なパイプの特性を有する架橋ポリオレフィンパイプである、請求項４から２３の何れか１つのパイプ。
【請求項２５】
前記パイプが、
前記ポリオレフィン構造ポリマー、光開始剤、架橋助剤及びフェノール系酸化防止剤を含む混合物を、共回転二重スクリューを有する押出機から押し出して、押出しパイプを形成し、
前記押出しパイプに紫外線を照射することによって、前記構造ポリマーを架橋するによって得ることが可能なパイプの特性を有する架橋ポリオレフィンパイプである、請求項１から３の何れか１つ、又は、請求項４から９を引用しない場合の請求項１０から２３の何れか１つのパイプ。
【請求項２６】
架橋度が、約６０から約８０％の範囲内であり、場合により、架橋度が、約７０から約８０％の範囲内である、請求項２４又は請求項２５のパイプ。
【請求項２７】
ＮＳＦ６１に従って試験した際に、以下の成分の残留レベルが、以下の規定レベルである：
ベンゼンが５ｐｐｂ以下であり、
ベンゾフェノンが３０ｐｐｂ以下であり、
ベンズヒドロールが５０ｐｐｂ以下であり、
ｐ−ヒドロキシベンゾフェノンが１０ｐｐｂ以下であり、
ｐ−ヒドロキシベンズヒドロールが１０ｐｐｂ以下であり、
ｐ−ホルミルベンゾフェノンが１０ｐｐｂ以下である、
請求項１から２６の何れか１つのパイプ。
【請求項２８】
混合物を、共回転二重スクリューを有する押出機から押し出して、押出しパイプを形成する工程と、
前記押出しパイプに紫外線を照射することによって、ポリオレフィン構造ポリマーを架橋する工程とを含む、架橋ポリオレフィンパイプを製造する方法であって、
前記押出しに係る混合物が、前記ポリオレフィン構造ポリマーと、０．０２から３重量％の量の光開始剤と、０．０２から１０重量％の量の架橋助剤と、０．１から１重量％の量のフェノール系酸化防止剤とを含んでおり、
前記光開始剤が、ベンゾフェノン、４位に置換基を有するベンゾフェノン、及び、４位及び４‘位に置換基を有するベンゾフェノンから選択され、前記架橋助剤が、少なくとも１つの炭素−炭素二重結合を含んでいるところの方法。
【請求項２９】
前記光開始剤が、請求項２、３、又は、１０から１５の何れか１つに更に記載された、請求項２８の方法。
【請求項３０】
前記混合物が、請求項１８又は請求項１９に記載されたヒンダードアミン系光安定剤を更に含む、請求項２８又は請求項２９の方法。
【請求項３１】
混合物を、共回転二重スクリューを有する押出機から押し出して、押出しパイプを形成する工程と、
前記押出しパイプに紫外線を照射することによって、ポリオレフィン構造ポリマーを架橋する工程と
を含む、架橋ポリオレフィンパイプを製造する方法であって、
前記押出しに係る混合物が、前記ポリオレフィン構造ポリマーと、０．０２から３重量％の量の光開始剤と、０．０１から２重量％の量の捕捉剤とを含み、
前記光開始剤は、下記化学式１で示される化合物であるところの方法。
【化１０】
2016518498.tif 000010
（但し、Ｒ１は、−（ＣＨ２）ｍ（Ｃ＝Ｏ）［Ｏ（ＣＨ２）ｎ］ｐＯ（Ｃ＝Ｏ）（ＣＨ２）ｑ−、−（Ｃ＝Ｏ）（Ｃ５−Ｃ２４アルキル）、及び、−（Ｃ＝Ｏ）（Ｃ５−Ｃ２４アルケニル）から選択され、
Ｒ２は、−Ｈ、−ＯＨ、−ハロ、−（Ｃ１−Ｃ４）アルキル、−（Ｃ２−Ｃ４）アルケニル及び、下記化学式２から選択され、
【化１１】
2016518498.tif 000011
Ｒ３は、−Ｈ、−ハロ、−ＯＨ、−（Ｃ１−Ｃ４）アルキル、−（Ｃ２−Ｃ４）アルケニル、−Ｏ（Ｃ１−Ｃ４）アルキル、及び、−Ｏ（Ｃ２−Ｃ４）アルケニルから選択され、
ｍは、０、１又は２であり、
ｎは、２、３、４、５、６であり、
ｐは、２−１０であり、
ｑは０、１又は２である。）
【請求項３２】
前記ポリオレフィン構造ポリマーが、ポリエチレン、ポリプロピレン、及びその混合物又はその共重合体から選択される、請求項２８から３１の何れか１つの方法。
【請求項３３】
前記捕捉剤が、請求項５から８の何れか１つに更に記載された、請求項３１又は請求項３２の方法。
【請求項３４】
前記架橋ポリオレフィンパイプが、約６０から約９０％の範囲内の架橋度を有している、請求項２８から３３の何れか１つの方法。
【請求項３５】
前記押出しは、前記混合物を、前記押出機からギアポンプを介して通過させ、次いで、ダイヘッドを通過させることを含み、及び／又は、照射後に、前記架橋ポリオレフィンパイプに、目盛り冶具によって、目盛りが付けられる、請求項２８から３４の何れか１つの方法。
【請求項３６】
前記ポリオレフィン構造ポリマー及び少なくとも１つの成分が前記押出機に別々に注入され、
前記少なくとも１つの成分が、前記光開始剤、及び、使用する場合には、前記捕捉剤及び／又は前記架橋助剤、及び／又は、前記フェノール系酸化防止剤、及び／又は、前記ヒンダードアミン系光安定剤から選択され、
前記ポリオレフィン構造ポリマー及び前記少なくとも１つの成分が、前記二重スクリューを有する押出機の混合要素によって混合される、
請求項２８から３５の何れか１つの方法。
【請求項３７】
前記押出しは、１００ｋｇ／時、場合により、２００ｋｇ／時よりも大きい押出出力で実施される、請求項２８から３６の何れかの方法。